【手続補正書】
【提出日】平成19年12月25日(2007.12.25)
【手続補正１】
【補正対象書類名】明細書
【補正対象項目名】特許請求の範囲
【補正方法】変更
【補正の内容】
【特許請求の範囲】
【請求項１】  像担持体と、磁性粒子と回転可能な導電性磁性粒子担持体からなる該像担持体に当接する帯電部材を有し該帯電部材に帯電バイアスを印加することで像担持体の帯電を行う帯電装置と、該像担持体の帯電処理面に静電潜像を形成する画像情報書き込み装置と、該静電潜像を現像剤により顕像化する現像装置と、該像担持体表面の現像剤像を転写バイアスにより被転写材に移動させる転写装置を具備し、転写装置により被転写材に移動せずに像担持体表面に残留した現像剤は前記帯電装置の像担持体に当接する帯電部材に一旦回収させ、その回収現像剤を帯電部材から吐き出させて現像装置にて再回収させる方式の画像形成装置において、帯電バイアスの直流成分の印加停止から該像担持体が少なくとも１回転した後、かつ転写バイアス印加を停止した該像担持体位置が帯電位置を通過した後に該導電性磁性粒子担持体の回転停止を行うことを特徴とする画像形成装置。
【請求項２】  帯電バイアスは直流成分と交流成分の重畳バイアスであることを特徴とする請求項１に記載の画像形成装置。
【請求項３】  帯電バイアスの直流成分の印加停止から該像担持体が少なくとも１回転した後、かつ転写バイアス印加を停止した該像担持体位置が帯電位置を通過した後に該導電性磁性粒子担持体の回転停止と帯電バイアスの交流成分の印加停止を行うことを特徴とする請求項２に記載の画像形成装置。
【請求項４】  像担持体と、磁性粒子と回転可能な導電性磁性粒子担持体からなる該像担持体に当接する帯電部材を有し該帯電部材に帯電バイアスを印加することで像担持体の帯電を行う帯電装置と、該像担持体の帯電処理面に静電潜像を形成する画像情報書き込み装置と、該静電潜像を現像剤により顕像化する現像装置と、該像担持体表面の現像剤像を転写バイアスにより被転写材に移動させる転写装置と、該転写装置と該帯電装置の間で該像担持体に当接させバイアスを印加する導電性部材を具備し、転写装置により被転写材に移動せずに像担持体表面に残留した現像剤は前記帯電装置の像担持体に当接する帯電部材に一旦回収させ、その回収現像剤を帯電部材から吐き出させて現像装置にて再回収させる方式の画像形成装置において、帯電バイアスの直流成分の印加停止から該像担持体が少なくとも１回転した後、かつ導電性部材のバイアス印加を停止した該像担持体位置が帯電位置を通過した後に該導電性磁性粒子担持体の回転停止を行うことを特徴とする画像形成装置。
【請求項５】  前記導電性部材に印加するバイアスの直流成分の極性は前記帯電バイアスの極性と逆極性であることを特徴とする請求項４に記載の画像形成装置。
【請求項６】  前記導電性部材が導電性ブラシであることを特徴とする請求項４または５に記載の画像形成装置。
【請求項７】  帯電バイアスは直流成分と交流成分の重畳バイアスであることを特徴とする請求項４、５または６に記載の画像形成装置。
【請求項８】  帯電バイアスの直流成分の印加停止から該像担持体が少なくとも１回転した後、かつ転写バイアス印加を停止した該像担持体位置が帯電位置を通過した後に該導電性磁性粒子担持体の回転停止と帯電バイアスの交流成分の印加停止を行うことを特徴とする請求項４、５、６または７に記載の画像形成装置。
【請求項９】  像担持体が電子写真感光体であることを特徴とする請求項８に記載の画像形成装置。
【請求項１０】  像担持体が電荷注入帯電性であることを特徴とする請求項１、２、３、４、５、６、７、８または９に記載の画像形成装置。
【請求項１１】  像担持体が絶縁性のバインダー中に導電性粒子を分散させた電荷注入層を有する電子写真感光体であることを特徴とする請求項１、２、３、４、５、６、７、８、９または１０に記載の画像形成装置。
【手続補正２】
【補正対象書類名】明細書
【補正対象項目名】００２２
【補正方法】変更
【補正の内容】
【００２２】
（３）帯電バイアスの直流成分の印加停止から該像担持体が少なくとも１回転した後、かつ転写バイアス印加を停止した該像担持体位置が帯電位置を通過した後に該導電性磁性粒子担持体の回転停止と帯電バイアスの交流成分の印加停止を行うことを特徴とする（２）に記載の画像形成装置。
【手続補正３】
【補正対象書類名】明細書
【補正対象項目名】００２６
【補正方法】変更
【補正の内容】
【００２６】
（８）帯電バイアスの直流成分の印加停止から該像担持体が少なくとも１回転した後、かつ転写バイアス印加を停止した該像担持体位置が帯電位置を通過した後に該導電性磁性粒子担持体の回転停止と帯電バイアスの交流成分の印加停止を行うことを特徴とする（７）に記載の画像形成装置。
【手続補正４】
【補正対象書類名】明細書
【補正対象項目名】００２９
【補正方法】変更
【補正の内容】
【００２９】
（１１）像担持体が絶縁性のバインダー中に導電性粒子を分散させた電荷注入層を有する電子写真感光体であることを特徴とする（１）、（２）、（３）、（４）、（５）、（６）、（７）、（８）、（９）または（１０）に記載の画像形成装置。
【手続補正５】
【補正対象書類名】明細書
【補正対象項目名】００３５
【補正方法】変更
【補正の内容】
【００３５】
４は現像装置である。本実施例では、重合法で作成した、転写残トナーの少ない高離型性球形トナーと、磁性キャリアを混合した現像剤による２成分接触現像方式の現像装置を用いている。そして、回転感光ドラム１面の静電潜像をトナー像（現像剤像）として反転現像させている。
【手続補正６】
【補正対象書類名】明細書
【補正対象項目名】００３７
【補正方法】変更
【補正の内容】
【００３７】
６は給紙カセットであり、紙等の被転写材Ｐを積載収納させてある。給紙ローラ７の駆動により給紙カセット６内に積載収納の被転写材Ｐが１枚分離給紙され、搬送ローラ８等を含むシートパス９を通って所定の制御タイミングにて回転感光ドラム１と転写装置５の転写ベルト５ａとの間の転写ニップ部Ｔに給送される。
【手続補正７】
【補正対象書類名】明細書
【補正対象項目名】００３８
【補正方法】変更
【補正の内容】
【００３８】
転写ニップ部Ｔに給送された被転写材Ｐは回転感光ドラム１と転写ベルト５ａの間を挟持搬送され、その間、導電性ブレード５ｄに転写バイアス印加電源Ｅ５から所定の転写バイアスが印加されて、被転写材Ｐの裏面からトナーと逆極性の帯電がなされる。これにより、転写ニップ部Ｔを通る被転写材Ｐの表面側に回転感光ドラム１面側のトナー像が順次に静電転写されていく。
【手続補正８】
【補正対象書類名】明細書
【補正対象項目名】００５５
【補正方法】変更
【補正の内容】
【００５５】
第５層ｌｆ：電荷注入層であり、絶縁性のバインダーとしての光硬化性のアクリル樹脂に光透過性の導電フィラーであるアンチモンをドーピングして低抵抗化（導電化）した粒径０．０３μｍの酸化錫ＳｎＯ２の超微粒子（導電性粒子）を樹脂に対して７０重量パーセント分散した材料の約３μｍの塗工層である。この電荷注入層１ｆの電気抵抗値は、充分な帯電性と画像流れを起こさない条件である１×１０１０〜１×１０１４Ω・ｃｍである必要がある。本実施例では、表面抵抗が１×１０１１Ω・ｃｍ感光ドラムを用いた。
【手続補正９】
【補正対象書類名】明細書
【補正対象項目名】００５７
【補正方法】変更
【補正の内容】
【００５７】
磁気ブラシ帯電器２Ａは本実施例のものはスリーブ回転タイプであり、マグネットロール（磁石）２ａとこのマグネットロールに外嵌させた非磁性ステンレス製スリーブ（回転可能な導電性磁性粒子担持体：電極スリーブ、導電スリーブ、帯電スリーブなどと称される）２ｂと、該スリーブ２ｂの外周面にスリーブ内部のマグネットロール２ａの磁気力で磁気拘束させて形成保持させた磁性粒子２ｄの磁気ブラシ部２ｃからなる。
【手続補正１０】
【補正対象書類名】明細書
【補正対象項目名】００６２
【補正方法】変更
【補正の内容】
【００６２】
帯電バイアスは電源Ｅ２によってスリーブ２ｂと規制ブレード２ｅに印加される。本実施例ではＤＣ成分（直流成分）にＡＣ成分（交流成分）が重畳しているバイアス（重畳バイアス）を用いている。
【手続補正１１】
【補正対象書類名】明細書
【補正対象項目名】００７１
【補正方法】変更
【補正の内容】
【００７１】
磁性粒子２ｄの体積抵抗値は、図６に示す要領で測定した。すなわち、セルＡに磁性体粒子２ｄを充填し、該充填磁性体粒子２ｄに接するように主電極１７及び上部電極１８を配し、該電極１７・１８間に定電圧電源２２から電圧を印加し、そのとき流れる電流を電流計２０で測定することにより求めた。１９は絶縁物、２１は電圧計、２４はガイドリングを示す。その測定条件は、２３℃、６５％の環境で充填磁性粒子２ｄのセルとの接触面積Ｓ＝２ｃｍ２、厚みｄ＝ｌｍｍ、上部電極１８の荷重１０ｋｇ、印加電圧１００Ｖである。
磁性粒子２ｄの平均粒径及び粒度分布測定におけるピークは５〜１００μｍの範囲にあることが、粒子表面の汚染による帯電劣化防止、及び、磁性粒子の感光ドラム１表面への付着防止の観点から好ましい。磁性粒子２ｄの平均粒径は、水平方向最大弦長で示し、測定法は顕微鏡法により磁性粒子３００個以上をランダムに選び、その径を実測して算術平均をとる。
【手続補正１２】
【補正対象書類名】明細書
【補正対象項目名】００８５
【補正方法】変更
【補正の内容】
【００８５】
感光ドラム１上の転写残トナーは転写時の剥離放電などにより、極性が正のものと負のものが混在していることが多い。この極性が混在した転写残トナーが磁気ブラシ帯電器２Ａに至って磁気ブラシ部２ｃ内に混入して一時的に回収される。この転写残トナーの磁気ブラシ帯電器２Ａの磁気ブラシ部２ｃへの取り込みは、磁気ブラシ帯電器２ＡにＡＣ成分を印加することで、磁気ブラシ帯電器２Ａ−感光ドラム１間の振動電界効果によってより効果的に行わせることができる。
【手続補正１３】
【補正対象書類名】明細書
【補正対象項目名】００８７
【補正方法】変更
【補正の内容】
【００８７】
極性が揃えられて感光ドラム１上に吐き出された転写残トナーは現像部ｍに至って現像装置４の現像スリーブ４ｂにより現像時のかぶり取り電界によって現像同時クリーニングで回収される。
【手続補正１４】
【補正対象書類名】図面
【補正対象項目名】図８
【補正方法】変更
【補正の内容】
【図８】
2002207394.tif 000001
【手続補正１５】
【補正対象書類名】図面
【補正対象項目名】図１０
【補正方法】変更
【補正の内容】
【図１０】
2002207394.tif 000002